(57)【要約】      （修正有）【課題】液晶モニターの開閉構造を利用して遮光部を形成する可搬型収納ケースを提供する。【解決手段】電子機器の可搬型収納ケースであって、折り畳み可能な柔軟な素材で形成された収納ケース本体１と、電子機器を着脱可能に固定する固定機構を有する。収納ケース本体は、折り畳み状態から展開したときに固定機構を介して固定状態に収納されている電子機器の後方領域が開放されるとともに、電子機器の周囲に上下左右の壁面が立ち上がり、上下左右の壁面が液晶モニター２１を覆う液晶モニター遮光用の遮光部３０を構成し、遮光部で囲まれた空間は開いた液晶モニターを収納する液晶モニター収納部８を構成し、遮光部と液晶モニター収納部は開いた液晶モニターによって保持される。【選択図】図２
0003188329.tif 000002
【実用新案登録請求の範囲】
【請求項１】
開閉可能な液晶モニターを有する電子機器の可搬型収納ケースであって、
折り畳み可能な柔軟な素材で形成され、折り畳み状態で電子機器を収納可能な収納ケース本体と、
収納される電子機器を着脱可能に固定する固定機構を有し、
収納ケース本体は、折り畳み状態から展開したときに、固定機構を介して固定状態に収納されている電子機器の後方領域が開放されるとともに、電子機器の周囲に上下左右の壁面が立ち上がり、上下左右の壁面が液晶モニターを覆う液晶モニター遮光用の遮光部を構成し、
遮光部で囲まれた空間は、開いた液晶モニターを収納する液晶モニター収納部を構成し、
遮光部と液晶モニター収納部は、開いた液晶モニターによって保持されることを特徴とする可搬型収納ケース。
【請求項２】
前記固定機構は、下壁面に設けた貫通孔と、貫通孔を介して電子機器の三脚固定用のネジ孔に、下壁面の外方から着脱可能に螺合する固定部材とからなる第一の固定部と、
左右いずれかの壁面に一体に備えられ、電子機器のグリップを着脱可能に固定する第二の固定部とを含むことを特徴とする請求項１に記載の可搬型収納ケース。
【請求項３】
開閉可能な液晶モニターを有する電子機器の可搬型収納ケースであって、
折り畳み可能な柔軟な素材で収納ケース本体が構成され、
収納ケース本体は、
所定形状に折り畳んで電子機器を収納する電子機器収納部と、
所定形状に折り畳んだ電子機器収納部の外面所定箇所に一体に備えられるとともに、上下端部にそれぞれ被せて上下端部を覆う上下蓋部とからなり、
電子機器収納部は、
電子機器を収納した折り畳み状態から収納ケース本体を展開したときに固定機構を介して着脱可能に電子機器を固定する下壁面と、
電子機器のレンズ面を外部に覗かせるレンズ窓部を有する前壁面と、
電子機器の上部を覆う上壁面と、
電子機器の側面を覆う左右の壁面とを含み、
前壁面は、上壁面、下壁面および左右壁面と連続し、
上壁面は、前壁面と左右の壁面と連続し、
下壁面は、前壁面と左壁面と連続し、
左壁面は、上壁面、前壁面および下壁面と連続し、
右壁面は、上壁面と連続し、
左右いずれかの壁面と電子機器との間には、電子機器の液晶モニターを開いたときに、液晶モニターを収納可能な空間からなる液晶モニター収納部を有し、
下壁面と上壁面と左右の壁面とが、収納ケース本体の展開時においてそれぞれ立ち上がるとともに、液晶モニター収納部を覆う液晶モニター遮光用の遮光部を構成し、
遮光部は、液晶モニター収納部に液晶モニターを開いて収納したときに、液晶モニターによって保持されることを特徴とする可搬型収納ケース。
【請求項４】
電子機器収納部は、折り畳み状態で第一のファスナー機構を介して開閉可能に構成されており、
上下蓋部は、電子機器収納部の上下端部に被せた状態で第二のファスナー機構を介して開閉可能に構成されており、
第二のファスナー機構は、
上下蓋部のそれぞれの開放端部と、
所定形状に折り畳んだ電子機器収納部の外面で、上下蓋部を被せたときに、上下蓋部のそれぞれの開放端部と対向する位置に設けられていることを特徴とする請求項３に記載の可搬型収納ケース。
【請求項５】
液晶モニターと一体となった電子機器の可搬型収納ケースであって、
折り畳み可能な柔軟な素材で形成され、折り畳み状態で電子機器を収納可能な収納ケース本体と、
収納される電子機器を着脱可能に固定する固定機構を有し、
収納ケース本体は、折り畳み状態から展開したときに、固定機構を介して固定状態に収納され、レンズを備えた前面が前壁面に当接した状態で電子機器の後方領域が開放されるとともに、電子機器の周囲に上下左右の壁面が立ち上がり、上下左右の壁面が液晶モニターを覆う液晶モニター遮光用の遮光部を構成し、右壁面と左壁面のいずれか又は双方が上壁面と連続し、前壁面と下壁面とは使用者の手又は指が挿入可能なように分離又は分離可能に構成されていることを特徴とする可搬型収納ケース。
【請求項６】
前記固定機構は、下壁面に設けた貫通孔と、
貫通孔を介して電子機器の三脚固定用のネジ孔に、下壁面の外方から着脱可能に螺合する固定部材とからなることを特徴とする請求項５に記載の可搬型収納ケース。
【請求項７】
前記固定機構は、下壁面に設けた貫通孔と、
貫通孔を介して電子機器の三脚固定用のネジ孔に、下壁面の外方から着脱可能に螺合する固定部材とからなる第一の固定部と、
前壁面の左右いずれかに一体に備えられ、電子機器のストラップを着脱可能に固定する第二の固定部とを含むことを特徴とする請求項５に記載の可搬型収納ケース。
【考案の詳細な説明】
【技術分野】
【０００１】
本考案は、液晶モニターを有するデジタルビデオカメラやデジタルカメラ等の電子機器の可搬型収納ケースに関するものである。
【背景技術】
【０００２】
デジタルビデオカメラやデジタルカメラは、外部の衝撃からデジタルビデオカメラなどを保護するため、一般に収納ケースが利用されている。収納ケースは、購入時にデジタルビデオカメラなどの付属品として付いているものを使用したり、別途自分の好みにあったものを購入して使用したりしている。
このような収納ケースは、収納されるデジタルビデオカメラなどを保護するためだけのものであり、デジタルビデオカメラなどを使用する時には、デジタルビデオカメラを収納ケースから取り出した後、紛失しないように鞄などに仕舞っていた。
このように、デジタルビデオカメラの使用時に、収納ケースは鞄などに仕舞わなければならないなど、収納ケースの取り扱いに課題を有していたものである。なお、デジタルビデオカメラなどと分離するため、紛失する虞も高く、また、うっかりそのままデジタルビデオカメラだけ（収納ケースに仕舞わない）を鞄にしまったりすることもあり得るため、デジタルビデオカメラなどの保護が図り得ないこともあった。
【０００３】
また、液晶モニターを有するデジタルビデオカメラやデジタルカメラ等を屋外で使用する際に、太陽光によって液晶モニター画面の画像が見え難いという不具合があった。
そこで、上記課題を達成するため、従来から特許文献１や特許文献２に開示の技術が提案されている。特許文献１や特許文献２は、内部に収納されるデジタルカメラの液晶モニターが現れるように開口を設けるとともに、この開口に液晶モニターに入る太陽光を遮るための遮光部を取り付けるデジタルカメラ用収納ケースである。
【先行技術文献】
【特許文献】
【０００４】
【特許文献１】特開２００８−２１６９４６号公報
【０００５】
【特許文献２】特開２０１３−１３０８５０号公報
【考案の概要】
【考案が解決しようとする課題】
【０００６】
特許文献１や２に開示の従来技術の場合、本体裏面側に液晶モニターが一体に組み込まれているデジタルカメラであれば対応可能ではある。
しかし、昨今のデジタルビデオカメラは、モニター部分が本体に開閉可能に備えられているものがほとんどである。また、デジタルカメラにあってもモニター部分が開閉可能に備えられているものもある。
したがって、特許文献１や２に開示の技術では、液晶モニター部分が開閉可能に備えられているタイプのデジタルカメラやデジタルビデオカメラには全く対応できておらず、需要者ニーズに応えられているものではなかった。
また、液晶モニター画面にタッチ機能がある場合には遮光部が邪魔になって自由に操作できない、という課題も有していた。
【０００７】
本考案は、従来技術の有するこのような課題に鑑みなされたものであり、その目的とするところは、デジタルビデオカメラ等の電子機器を使用するときは、電子機器を収納している収納ケースを展開するだけで、収納ケース自体をそのまま電子機器の周りで液晶モニター画面を見易くする遮光部として機能させることができ、かつ使用しないときは電子機器と一体に収納できるという使用勝手に優れた可搬型収納ケースを提供することである。
【課題を解決するための手段】
【０００８】
上記目的を達成するため第１の考案がなした手段は、開閉可能な液晶モニターを有する電子機器の可搬型収納ケースであって、折り畳み可能な柔軟な素材で形成され、折り畳み状態で電子機器を収納可能な収納ケース本体と、収納される電子機器を着脱可能に固定する固定機構を有し、収納ケース本体は、折り畳み状態から展開したときに、固定機構を介して固定状態に収納されている電子機器の後方領域が開放されるとともに、電子機器の周囲に上下左右の壁面が立ち上がり、上下左右の壁面が液晶モニターを覆う液晶モニター遮光用の遮光部を構成し、遮光部で囲まれた空間は、開いた液晶モニターを収納する液晶モニター収納部を構成し、遮光部と液晶モニター収納部は、開いた液晶モニターによって保持されることを特徴としたことである。
【０００９】
第１の考案によれば、撮影するときに、収納ケース本体を折り畳み状態から展開するだけで、収納ケース自体によって自動的に大型の遮光部が電子機器の周囲に出来上がるため、太陽光などの外部からの光の入射によって液晶モニターが見え難くなるという不具合もない。したがって、撮影チャンスを逃すこともなく需要者にとって大変便利である。
また、撮影の都度、別途遮光部を取り付ける手間を要するといった従来技術が抱えていた不都合もない。
さらに、特許文献１や特許文献２のような従来技術では、液晶モニターをカメラ本体の背面側（レンズ部が設けられている面と反対の面）に一体に組み込んでなるデジタルカメラであれば対応可能ではあったが、開閉可能な液晶モニターを備えるデジタルビデオカメラなどには対応し得ていなかった。これに対して、本考案によれば、収納ケースを展開したときに遮光部が自動的に形成されるとともに、遮光部によって囲まれた空間に液晶モニター収納部が形成されるため、その液晶モニター収納部に開いた液晶モニターを収納することができる。従って、本考案によれば、開閉可能な液晶モニターを有するデジタルビデオカメラなどの電子機器であっても対応可能であるため、広く需要者のニーズに対応可能である。そして、遮光部は、この液晶モニター収納部に液晶モニターを収納することにより、液晶モニターによってその立ち上がり形態が保持されるため、遮光部が液晶モニターのモニター上に倒れて被さってきたりする不都合もなく使用勝手に優れている。
また、展開したときに収納ケース自体が電子機器の周囲でそのまま遮光部を構成するため、電子機器を使用する際に、収納ケースを鞄などに一時的に仕舞ったりする手間も不要である。従って、使用のたびに一々取り外した収納ケースを鞄などに仕舞ったりする面倒もなく、かつ紛失の虞もなくなる。
【００１０】
上記目的を達成するため第２の考案がなした手段は、固定機構は、下壁面に設けた貫通孔と、貫通孔を介して電子機器の三脚固定用のネジ孔に、下壁面の外方から着脱可能に螺合する固定部材とからなる第一の固定部と、左右いずれかの側面に一体に備えられ、電子機器のグリップを着脱可能に固定する第二の固定部とを含むことを特徴としたことである。
【００１１】
第２の考案によれば、収納ケースに対して電子機器を着脱可能に固定する固着機構として、電子機器を収納ケースの下壁面に着脱可能に固定する第一の固定部と、収納ケースの側面に電子機器のグリップを着脱可能に固定する第二の固定部を採用しているため、二重の着脱可能な固着機構で電子機器を収納部にしっかりと固定して安定化することができ、脱落防止をすることができる。また、第一の固定部と第二の固定部の双方共に簡易な機構によって着脱可能な固定部を構成しているため、着脱作業も容易である。
【００１２】
上記目的を達成するため第３の考案がなした手段は、開閉可能な液晶モニターを有する電子機器の可搬型収納ケースであって、折り畳み可能な柔軟な素材で収納ケース本体が構成され、収納ケース本体は、所定形状に折り畳んで電子機器を収納する電子機器収納部と、所定形状に折り畳んだ電子機器収納部の外面所定箇所に一体に備えられるとともに、上下端部にそれぞれ被せて上下端部を覆う上下蓋部とからなり、電子機器収納部は、電子機器を収納した折り畳み状態から収納ケース本体を展開したときに固定機構を介して着脱可能に電子機器を固定する下壁面と、電子機器のレンズ面を外部に覗かせるレンズ窓部を有する前壁面と、電子機器の上部を覆う上壁面と、電子機器の側面を覆う左右の壁面とを含み、前壁面は、上壁面、下壁面および左右壁面と連続し、上壁面は、前壁面と左右の壁面と連続し、下壁面は、前壁面と左壁面と連続し、左壁面は、上壁面、前壁面および下壁面と連続し、右壁面は、上壁と連続し、左右いずれかの壁面と電子機器との間には、電子機器の液晶モニターを開いたときに、液晶モニターを収納可能な空間からなる液晶モニター収納部を有し、下壁面と上壁面と左右の壁面とが、収納ケース本体の展開時においてそれぞれ立ち上がるとともに、液晶モニター収納部を覆う液晶モニター遮光用の遮光部を構成し、遮光部は、液晶モニター収納部に液晶モニターを開いて収納したときに、液晶モニターによって保持されることを特徴としたことである。
【００１３】
第３の考案によれば、電子機器を収納している電子機器収納部の上下端部を覆う上下蓋部を外し、電子機器収納部を展開すると、上壁面と左右の壁面が立ち上がり、下壁面に固定されている電子機器の側方に液晶モニター収納部を形成するとともに、その液晶モニター収納部を覆う液晶モニター用の遮光部を形成する。
このように構成したため、電子機器を収納していた収納ケース自体が、液晶モニターを太陽光などの光の影響で見え難くなることを防ぐ遮光部として機能することとなる。
従って、別途遮光用の部材などを取り付けたりする手間も不要である。また、遮光用の部材を別途持ち歩く必要もなくなるため、持ち運びによる煩わしさもない。
また、収納ケースを電子機器から完全に取り外すものではなく、電子機器の使用時において有効活用し得るものであるため、利便性がとても高いものであるとともに、収納ケース取り外し時の保管の煩わしさも解消される。
【００１４】
上記目的を達成するため第４の考案がなした手段は、電子機器収納部は、折り畳み状態で第一のファスナー機構を介して開閉可能に構成されており、上下蓋部は、電子機器収納部の上下端部に被せた状態で第二のファスナー機構を介して開閉可能に構成されており、第二のファスナー機構は、上下蓋部のそれぞれの開放端部と、所定形状に折り畳んだ電子機器収納部の外面で、上下蓋部を被せたときに、上下蓋部のそれぞれの開放端部と対向する位置に設けられていることを特徴としたことである。
【００１５】
第４の考案によれば、電子機器収納部を折り畳んで電子機器収納部の上下端部に上下蓋部を被せて、ファスナー機構により着脱が容易に形成されているため、撮影しないときには、電子機器を安全確実に収納できる可搬型の収納ケースが提供できる。
【００１６】
上記目的を達成するため第５の考案がなした手段は、液晶モニターと一体となった電子機器の可搬型収納ケースであって、折り畳み可能な柔軟な素材で形成され、折り畳み状態で電子機器を収納可能な収納ケース本体と、収納される電子機器を着脱可能に固定する固定機構を有し、収納ケース本体は、折り畳み状態から展開したときに、固定機構を介して固定状態に収納され、レンズを備えた前面が前壁面に当接した状態で電子機器の後方領域が開放されるとともに、電子機器の周囲に上下左右の壁面が立ち上がり、上下左右の壁面が液晶モニターを覆う液晶モニター遮光用の遮光部を構成し、右壁面と左壁面のいずれか又は双方が上壁面と連続し、前壁面と下壁面とは使用者の手又は指が挿入可能なように分離又は分離可能に構成されていることを特徴としたことである。
【００１７】
第５の考案によれば、収納ケース本体を折り畳み状態から展開するだけで、収納ケース自体によって自動的に大型の遮光部が電子機器の周囲に出来上がるため、太陽光などの外部からの光の入射によって液晶モニターが見え難くなるという不具合もない。したがって、撮影チャンスを逃すこともなく需要者にとって大変便利である。
また、撮影の都度、別途遮光部を取り付ける手間を要するといった従来技術が抱えていた不都合もない。
さらに、展開したときに収納ケース自体が電子機器の周囲でそのまま遮光部を構成するため、電子機器を使用する際に、収納ケースを鞄などに一時的に仕舞ったりする手間も不要である。従って、使用のたびに一々取り外した収納ケースを鞄などに仕舞ったりする面倒もなく、かつ紛失の虞もなくなる。
【００１８】
上記目的を達成するため第６の考案がなした手段は、固定機構は、下壁面に設けた貫通孔と、貫通孔を介して電子機器の三脚固定用のネジ孔に、下壁面の外方から着脱可能に螺合する固定部材とからなることを特徴としたことである。
【００１９】
第６の考案によれば、収納ケースに対して電子機器を着脱可能に固定する固着機構として、電子機器を収納ケースの下壁面に着脱可能に固定する固定部を採用しているため、電子機器を収納部にしっかりと固定して安定化することができ、脱落防止をすることができる。また、簡易な機構によって着脱可能な固定部を構成しているため、着脱作業も容易である。
【００２０】
上記目的を達成するため第７の考案がなした手段は、固定機構は、下壁面に設けた貫通孔と、貫通孔を介して電子機器の三脚固定用のネジ孔に、下壁面の外方から着脱可能に螺合する固定部材とからなる第一の固定部と、前壁面の左右いずれかに一体に備えられ、電子機器のグリップを着脱可能に固定する第二の固定部とを含むことを特徴としたことである。
【００２１】
第７の考案によれば、収納ケースに対して電子機器を着脱可能に固定する固着機構として、電子機器を収納ケースの下壁面に着脱可能に固定する第一の固定部と、収納ケースの壁面に電子機器のグリップを着脱可能に固定する第二の固定部を採用しているため、二重の着脱可能な固着機構で電子機器を収納部にしっかりと固定して安定化することができ、脱落防止をすることができる。また、第一の固定部と第二の固定部の双方共に簡易な機構によって着脱可能な固定部を構成しているため、着脱作業も容易である。
【考案の効果】
【００２２】
本考案によれば、デジタルビデオカメラ等の電子機器を使用するときは、電子機器を収納している収納ケースを展開するだけで、収納ケース自体をそのまま電子機器の周りで液晶モニター画面を見易くする遮光部として機能させることができ、かつ使用しないときは電子機器と一体に収納できるという使用勝手に優れた可搬型収納ケースを提供することができる。
【図面の簡単な説明】
【００２３】
【図１】本考案の可搬型収納ケースの第１の実施形態の展開状態を後方から見た可搬型収納ケースの全体斜視図である。
【図２】図１に示す展開状態において、電子機器を固定して収納した全体斜視図である。
【図３】図２状態を正面から見た全体斜視図である。
【図４】第１の実施形態の可搬型収納ケースの組立過程を示す全体斜視図であって、（ａ）は、電子機器収納部を円筒状にして第一のファスナー機構で閉じた状態を示し、（ｂ）は、さらに電子機器収納部の上下の蓋部を被せると共に、第二のファスナー機構で閉じた状態を示す。
【図５】本考案の可搬型収納ケースの第２の実施形態の展開状態を後方から見た全体斜視図である。
【図６】（ａ）は、図５に示す展開状態において、電子機器を固定して収納した全体斜視図であって、（ｂ）は、図６（ａ）状態を正面から見た全体斜視図である。
【図７】第２の実施形態の可搬型収納ケースの折り畳み過程を示す背面図であって、図５に示す展開状態から電子機器収納部の左壁面と下壁面を折り畳んだ状態を示す（電子機器は図示省略。）。
【図８】（ａ）は、図７に示す折り畳み状態からさらに上壁面を折り畳み、上壁面と下壁面に備えた面ファスナー同士を係合させて閉じた状態の背面図であって、（ｂ）は、（ａ）を反対側から見た状態の正面図であって、（ｃ）は、（ａ）（ｂ）の状態からさらに右壁面を折り畳み、折り畳み完了後の可搬型収納ケースの側面図である（電子機器は図示省略。）。
【考案を実施するための形態】
【００２４】
以下、本考案の一実施形態を図に基づいて説明する。
図１乃至図４は本考案の第１実施形態を示し、図５乃至図８は本考案の第２実施形態を示す。
第１実施形態では、開閉可能な液晶モニターを有するデジタルビデオカメラを収納する可搬型収納ケースの一実施形態について説明し、第２実施形態では、液晶モニターを背面に一体に有するデジタルカメラ等の電子機器を収納する可搬型収納ケースの一実施形態について説明する。
「第１実施形態」
【００２５】
本考案の第１実施形態について、図１乃至図４に基づき説明する。図１は、収納ケース本体の展開状態であって、電子機器としてのデジタルビデオカメラ（以下、デジタルビデオカメラと称する。）を収納する電子機器収納部を後方から直視した可搬型収納ケースの全体斜視図で、デジタルビデオカメラが収納される前の図である。図２は、図１の状態でデジタルビデオカメラが収納され、固定機構を介して固定されている状態の全体斜視図である。図３は、デジタルビデオカメラが収納されている状態で、カメラレンズ側を直視した可搬型収納ケースの全体斜視図である。なお、本実施形態では、デジタルビデオカメラ本体の左側に位置して開閉される液晶モニターを備えたデジタルビデオカメラの一例をもって説明するが、本考案の一実施の形態を示したものにすぎず、右側に位置して開閉される液晶モニターを備えたデジタルビデオカメラであってもよく、何等これに限定解釈されず、本考案の範囲内で適宜設計変更可能である。図４は、デジタルビデオカメラが可搬型収納ケースに収納されていく過程の図で、その手順は後述する。
（ビデオカメラ用可搬型収納ケースの全体構成）
【００２６】
可搬型収納ケースは、収納ケース本体１と固定機構（本実施形態では第一の固定部４０，第二の固定部４５）とで構成されている。
【００２７】
収納ケース本体１は、折り畳み可能な柔軟な素材からなり、略円筒状に折り畳んでデジタルビデオカメラ２０を収納可能な電子機器収納部２と、電子機器収納部２の上下端に被せて該上下端を覆う略短尺円筒状の上下の蓋部１２，１４とで構成されている（図１乃至図４参照。）。収納ケース本体１は、本実施形態では、ポリエチレンなどの柔軟な素材で形成されている。
なお、本収納ケース本体１は折り畳み可能な柔軟な素材であれば、シリコンや布材であっても、あるいは合成樹脂材や皮革材などのやや硬めの素材であってもよく、本考案の範囲内で適宜仕様によって変更可能である。
【００２８】
電子機器収納部２は、略円筒状に折り畳んだ状態から展開すると、デジタルビデオカメラ２０の前側に位置する前壁面４と、固定状態に収納されているデジタルビデオカメラ２０の後方領域が開放されるとともに、デジタルビデオカメラ２０の周囲に立ち上がる、デジタルビデオカメラ２０の下側に位置する下壁面３と、デジタルビデオカメラ２０の上側に位置する上壁面５と、デジタルビデオカメラ２０の左側に位置する左壁面６と、デジタルビデオカメラ２０の右側に位置する右壁面７を有している。
これら電子機器収納部２の展開時に立ち上がった下壁面３、上壁面５、左壁面６および右壁面７が、デジタルビデオカメラ２０の開いた液晶モニター２１を覆い、外部からの光を遮断する液晶モニター遮光用の遮光部３０を構成する。また、遮光部３０で囲まれた領域は、前記電子機器収納部２を構成する。
【００２９】
電子機器収納部２は、後述する固定機構（第一の固定部４０、第二の固定部４５）を介してデジタルカメラ２０本体を固定状態に収納可能な領域と、折り畳み状態から展開し、展開状態において、前記領域にデジタルビデオカメラ２０本体を収納した状態で、デジタルビデオカメラ２０本体の側方から略直交状に開いた液晶モニター２１を収納可能な領域（液晶モニター収納部８）とを有して構成されている。
【００３０】
下壁面３は、固定機構を構成する貫通孔１０を介してデジタルビデオカメラ２０を着脱可能に固定し、かつデジタルビデオカメラ２０の下部を覆う面で、前壁面４と左壁面６と連続している（図１乃至図３参照。）。
【００３１】
下壁面３は、下方からの光の入射量がさほど多くないことに鑑み、幅狭状に後方（図中矢印３５で示す方向）に向けて突設される第一の下壁面３１と、第一の下壁面３１から連続し、該第一の下壁面３１よりも幅広状に後方に向けて突設される第二の下壁面３２を有し、第二の下壁面３２に貫通孔１０が設けられている。これによって、デザイン上もすっきりするとともに、第一の下壁面３１が幅狭であるため液晶モニター収納部８に手を差し込み易く、画面タッチ機能を持った液晶画面でも支障なく操作することができる。
貫通孔１０は、デジタルビデオカメラ２０を電子機器収納部２に固定するための孔である。通常、デジタルビデオカメラ２０の底面には三脚固定用の固定穴（図示省略）があり、固定穴の内面には雌ねじが設けられており、貫通孔１０は、この固定穴と連通して所定の固定部材で連結固定する。
【００３２】
前壁面４は、デジタルビデオカメラ２０の前部を覆う面で、前記下壁面３を構成する第一の下壁面３１と第二の下壁面３２から連続し、第一の下壁面３１と第二の下壁面３２の横方向（図中矢印３４で示す方向）長さをもって略矩形状に形成され、デジタルビデオカメラ２０のレンズ面を外部に覗かせるレンズ窓部９を有する面である。また、前壁面４は、上壁面５、左壁面６及び右壁面７とも連続している（図１及び図３参照。）。
【００３３】
レンズ窓部９は、デジタルビデオカメラ２０のレンズを本収納ケースの外に出すために切欠いてある孔である。本実施形態では、前壁面４を前方から直視したときに、向かって左側に円形状に設けられている（図３参照。）。
なお、レンズ窓部９の位置や大きさ・形状などは本実施形態に何等限定解釈されるものではなく、デジタルビデオカメラの製造メーカや機種によって、レンズ窓部９の位置や大きさ・形状などが異なるため、本考案の範囲内で適宜設計変更可能である。
【００３４】
上壁面５は、デジタルビデオカメラ２０の上部を覆う略矩形状の面であって、前記前壁面４から連続し、前壁面４の横方向長さと略同一長さで、かつデジタルビデオカメラ２０の全体長さを超えて後方に向けて略矩形状に突設されている。また、上壁面５は、左壁面６と右壁面７とも連続している（図１乃至図２参照）。
また、デジタルビデオカメラ２０が収納されている状態では、デジタルビデオカメラ２０自体も上壁面５を支持する役目を担っていることもあって、液晶モニター画面上に上壁面５が垂れ下がるという不具合もない。
【００３５】
上壁面５には、その外面に、上壁面長手方向に平行して、第二のファスナー機構１３，１５を構成する二本のエレメント１８ａ，１８ｂが備えられている（図３及び図４参照。）。
また、上壁面５と左壁面６との境界部分には、第一のファスナー機構５０を構成する第一のエレメント１７ａが備えられている（図１乃至４参照。）。
【００３６】
左壁面６は、デジタルビデオカメラ２０の左壁面を覆う略細長矩形状に形成され、前記上壁面５の後方（図中矢印３５で示す方向）に向けた突設長さと同一の長さで形成されており、左方向からの光の入射を遮光する（図１乃至図３参照。）。
また、左壁面６は、下壁面３と上壁面５とも連続している。左壁面６は、下壁面３と上壁面５と連続して形成したことで、左壁面６が、液晶モニター収納部８を保持する機能を有している。これにより大型の遮光部３０を構成することができる。
【００３７】
右壁面７は、デジタルビデオカメラ２０の右壁面を覆う略細長矩形状に形成され、前記上壁面５の後方（図中矢印３５で示す方向）に向けた突設長さと同一の長さ（左壁面６と同様の大きさ）で形成されており、右方向からの光の入射を遮光する。
【００３８】
右壁面７は、上壁面５と連続しているが、下壁面３・前壁面４とは連続していない（図１及び図２参照。）。
これは、本実施形態の収納ケース１が、電子機器収納部２の右端にデジタルビデオカメラ２０を配置固定する形態としたためである。すなわち、使用者がデジタルビデオカメラ２０の右壁面にあるグリップ２２を手で握持しようとしたときに、下壁面３及び前壁面４と右壁面７が連続して形成されていると、デジタルビデオカメラ２０の右方から手を挿入し難いためである。そのため、右壁面７は上壁面５とのみ連続して形成しており、右壁面７は上下方向に自由に移動が可能である。
なお、手を入れた場合、その隙間からの光線によって液晶モニター画面が見難くなるというおそれがあるが、デジタルビデオカメラ２０自体が右側からの光の入射を遮る遮光部の役目を兼ねるので影響が少ない。
【００３９】
また、右壁面７の端部には、前記上壁面５側に備えた一方の第一のエレメント１７ａとともに第一のファスナー機構５０を構成する他方の第一のエレメント１７ｂが備えられており、さらに、第一のエレメント１７ｂとともに第一のファスナー機構５０を構成するスライダー２６が備えられている。（図１乃至４参照。）。
従って、電子機器収納部２を略円筒状に折り畳み、そして、第一のエレメント１７ａ，１７ｂの下端側を差し込むとともに、スライダー２６を引き上げれば、電子機器収納部２は第一のファスナー機構５０によって円筒状に保持される。
【００４０】
上下蓋部１２，１４は、柔軟性と弾力性を持ち、衝撃吸収性のある素材から短尺円筒形状に形成され、その一部が電子機器収納部２を構成する上壁面５に取り付けられている。
【００４１】
上蓋部１２と下蓋部１４は、それぞれの一端面が開口されており、その開口端には、その円形状の開口に沿って第二のファスナー機構１３，１５を構成する第二のエレメン１８ｃ，1８ｄが備えられている。
【００４２】
第二のファスナー機構１３，１５は、上下蓋部１２，１４の開放端部と、折り畳んだ電子機器収納部２の外面で、上下蓋部１２，１４を被せたときに上下蓋部１２，１４の開放端部と対向する位置とに設けられている。
具体的には、第二のファスナー機構１３，１５は、前記電子機器収納部２の外周に備えられる第二のエレメント１８ａ，１８ｂと、前記上蓋部１２と下蓋部１４に備えた第二のエレメント１８ｃ，１８ｄと、スライダー２５，２５によって構成されている（図４参照。）。
【００４３】
第一のファスナー機構５０および第二のファスナー機構１３，１５は、本実施形態に何ら限定解釈されるものではなく、本考案の範囲内で適宜設計変更可能である。
【００４４】
電子機器収納部２は、上壁面５の外面に平行に備えた第二のエレメント１８ａ，１８ｂが、電子機器収納部２を略円筒状に折り畳んだときに、その円筒状の外周にて筒周方向に上下に並んでそれぞれ備えられる（図４参照。）ため、上下蓋部１２，１４をそれぞれ電子機器収納部２の両端に被せると、上下蓋部１２，１４側の第二のエレメント１８ｃ，１８ｄと、電子機器収容部２の外周側の第二のエレメント１８ａ，１８ｂとが、それぞれ対向するため、スライダー２５を引き上げれば上下蓋部１２，１４は電子機器収納部２と一体に閉じられる（図４参照。）。
【００４５】
なお、上下蓋部１２，１４の深さは、特に限定はされないが、電子機器収納部２のそれぞれの端部との間に隙間が出来て不安定にならないように、電子機器収納部２の端部が上下蓋部１２，１４の底に接する位の深さに形成されている。
また、手で持ち運びができる或いは長くして肩に掛けても良いように、上蓋部１２には、持ち手１６が付いている（図４参照。）。
【００４６】
固定機構は、第一の固定部４０と第二の固定部４５から構成されていて、電子機器収納部２に収納されるデジタルビデオカメラ２０を着脱可能に固定する。
【００４７】
第一の固定部４０は、下壁面３に設けられた貫通孔１０と、貫通孔１０を介してデジタルビデオカメラ２０の三脚固定用のネジ孔に下壁面３の外方から着脱可能に螺合する固定部材（固定ネジ）２３とからなる。
貫通孔１０の位置はデジタルビデオカメラの機種によって異なる場合があるが、孔の大きさは三脚固定用のネジ孔であることから寸法はどの機種も略同じである。本実施形態では可搬用であることから市販されているカメラ収納ケース用の固定ネジ２３を使っているが、当然に三脚も使うこともできる。また、通常、カメラ収納ケース用の固定ネジには、その下壁面に雌穴のネジ孔があることから、その固定ネジ２３を付けたままで三脚も使うこともできる。
【００４８】
第二の固定部４５は、デジタルビデオカメラ２０に備えられるグリップ２２を着脱可能に固定するものであって、本実施形態では、電子機器収納部２を構成する右壁面７の内面所定位置に備えられた面ファスナー１１ａと前壁面４の内面所定位置に備えられた面ファスナー１１ｂである（図１及び図２参照。）。
【００４９】
第二の固定部（面ファスナー）４５がデジタルビデオカメラ２０のグリップ２２に締結されることで、右壁面７の上方への開き作動を抑制することができるため、使用者の手の甲と右壁面７が密着することによって右側からの遮光部としても万全なものとしている。
なお、本実施形態では、面ファスナーをもって説明するが、ボタン等の留め具でも良い。
【００５０】
本実施形態においては、前記固定穴を利用し、下壁面３の外方から貫通孔１０を介して固定ネジ２３を用いることによって、第一の固定部４０でデジタルビデオカメラ２０を下壁面３に安定して固定することができる。このように第一の固定部４０を介して安定して収納できるため、電子機器収納部２からビデオカメラ２０が脱落するおそれがない。また、三脚を用いてデジタルビデオカメラ２０を使用する場合でも、収納ケース本体１にデジタルビデオカメラ２０を収納したままで撮影ができる。
さらに本実施形態では、第二の固定部４５を介してデジタルビデオカメラ２０のグリップ２２を締結固定するため、さらに安定して収納することができる。
【００５１】
また、デジタルビデオカメラ２０に凹凸形状があったとしても柔軟で弾力ある電子機器収納部２の素材の性質から凸面を吸収して収納することが可能であるため特段の問題はない。
【００５２】
なお、本考案では、遮光部という名称を使用しているが、遮光部という名称に何等限定解釈されるものではなく、遮光フード、液晶フード、液晶ＬＣＤシェードフード、液晶シェード、ユニバーサル又は日除け等と称されるものであってもよく、本考案の範囲内で任意である。
（本実施形態の可搬型収納ケースの展開の仕方）
【００５３】
折り畳み状態の収納ケース本体１の電子機器収納部２にデジタルビデオカメラ２０が収納された状態（図４（ｂ）状態）から、収納ケース本体１を展開して液晶モニター２１を開き、撮影可能状態（図２及び図３状態）にするまでの作動を説明する。
【００５４】
まず、第二のファスナー機構１３，１５のスライダー２５，２５をそれぞれ引き下げて第二のエレメント１８ａ，１８ｃと１８ｂ，1８ｄ同士の係合状態を解除し、上下蓋部１２，１４を電子機器収納部２の両端部から外す（図４（ａ）状態）。
【００５５】
次に、電子機器収納部２の外面にある第一のファスナー機構５０のスライダー２６を引き下げて第一のエレメント１７ａ，１７ｂの係合状態を解除し、電子機器収納部２を展開する（図１状態）。
【００５６】
次に、展開した電子機器収納部２の前壁面４のレンズ窓部９にデジタルビデオカメラ２０のカメラレンズ２４を挿入し、デジタルビデオカメラ２０の三脚用孔と下壁面３の貫通孔１０の孔合わせをするとともに、固定ネジ２３を、下壁面３の外方から貫通孔１０を介してデジタルビデオカメラの三脚用孔に螺合させてデジタルビデオカメラ２０を固定する（図２状態）。
また、デジタルビデオカメラ２０のグリップ２２を、右壁面７と前壁面４にある第二固定部４５の面ファスナー１１ａ，１１ｂで動かないように取り付ける。
【００５７】
そして、デジタルビデオカメラ２０を電子機器収納部２に収納して固定したら、液晶モニター２１をデジタルビデオカメラ２０の側面から開く（図２状態）。
このように液晶モニター２１が開かれると、液晶モニター２１の上部を折れ線にして上壁面が折れ曲がると共に折り畳まれていた左壁面６が立ち上がり、上下左右の遮光部３０が形成されるとともに、デジタルビデオカメラ２０と、下壁面３・上壁面５・左壁面６とによって区切られた液晶モニター収納部８が形成される（図２状態）。このとき、遮光部３０と液晶モニター収納部８とは、液晶モニター２１によってその形状が保持される（図２及び図３）。
【００５８】
このような次第であるため、デジタルビデオカメラ２０のグリップ２２に手を差し込んで握持するだけで、遮光部３０が液晶モニター収納部８の領域内への光の入射を極力遮ることが可能であるため、太陽光線等の光の影響（液晶画面が見え難くなるという影響）を心配することなく、液晶モニター画像をしっかり見ることができる。
また、デジタルビデオカメラ２０を収納した折り畳み状態から撮影可能状態に要する時間は、折り畳み面数が少なく、ファスナーを用いていることから難しい操作も無く、１０秒足らずの短時間ででき、慣れればさらに短くなり、撮影チャンスを逃すこともない。
（本実施形態の可搬型収納ケースの収納順序）
【００５９】
次に、デジタルビデオカメラ２０の使用後の収納手順を説明する。
まず、液晶モニター２１をデジタルビデオカメラ２０の壁面側に閉じると、電子機器収納部２を構成する下壁面３・前壁面４・上壁面５のそれぞれの保持が無くなる。
次に、図４（ａ）に示すように、電子機器収納部２を内側に折り込み、そのまま丸めて円筒状にして、上壁面５の端部と左右壁面部の端部にある第一のエレメント１７ａ，１７ｂの下端側を差し込むと共に、スライダー２６を引き上げれば、電子機器収納部２は第一のファスナー機構５０によってデジタルビデオカメラ２０を覆った円筒状に保持される。
【００６０】
さらに、図４（ｂ）に示すように、上下蓋１２，１４を、前記円筒状に保持した電子機器収納部２の上下端部にそれぞれ被せる。
そして、上下蓋部１２,１４の開口に備えられているそれぞれの第二のエレメント１８ｃ,１８ｄと、前記円筒状の電子機器収納部２の外周で筒方向に備えられている上下二本の第二のエレメント１８ａ,１８ｂをそれぞれ相対向させるとともに、それぞれスライダー２５，２５を引き上げれば上下蓋部１２,１４は電子機器収納部２と一体に閉じられる（図４参照。）。
これにより、コンパクトでデザイン性が良い可搬型の収納ケースにすることができる。
以上により、デジタルビデオカメラ２０を外部に露出することがないので、太陽光の熱射等外部要因から保護することができ、変色、変形、故障を防ぐことができる。
【００６１】
また、上下蓋１２，１４を短時間で、合理的かつ効率的に開閉する方法を採用することも可能である。すなわち、第二のファスナー機構１３，１５を一つ一つ別々に開閉するのではなく、例えば図示はしないが、第二のファスナー機構１３，１５のスライダー２５，２５同士を紐等で結び、個々にスライダーを作動させる動作を、紐を引く動作一つで上下蓋部１２，１４を開閉操作することが可能である。
また、本実施形態では、手提げで持ち運びが簡単にできるように片側の蓋１２に持ち手１６を備え、腰又は手持ち鞄に引っ掛けたり、首や肩に掛けたりすることができるようにストラップ部（リング）１９を備えている。また、図に示さないが、下蓋１４にもストラップ部（リング）を備えて、持ち手１６の代わりにストラップ部（リング）同士を肩掛用ベルト等で接続することもできる。
【００６２】
なお、電子機器収納部２からデジタルビデオカメラ２０を取り外せば（デジタルビデオカメラの非収納時という意味）、電子機器収納部２内には円筒状の空間が出来る。従って、この空間を利用して他の用途とすることもできる。
すなわち、電子機器収納部２を構成する布材が、弾力性と遮熱性を持ち、かつ衝撃吸収性がある場合、携帯用袋物としての用途、例えば、単なるカメラケースとして、或いはペットボトル飲料やガラス瓶飲料などを持ち運ぶ用途等としても応用可能である。
「第２実施形態」
【００６３】
本考案の第２実施形態について、図５乃至図８に基づき説明する。図５は、収納ケース本体１０１の展開状態であって、電子機器としてのデジタルカメラ（以下、デジタルカメラと称する。）１２０を収納する電子機器収納部１０２を直視した可搬型収納ケースの全体斜視図で、デジタルカメラ１２０が収納される前の図である。図６は、収納ケース本体１０１の展開状態でデジタルカメラ１２０が収納されている全体斜視図である。図７及び図８は、収納ケース本体１０１の折り畳み手順を示す背面図である（デジタルカメラ１２０は収納せず。）。
（デジタルカメラ用可搬型収納ケースの全体構成）
【００６４】
可搬型収納ケースは、略箱形の折り畳み状態でデジタルカメラ１２０を収納可能な収納ケース本体１０１と、収納されるデジタルカメラ１２０を着脱可能に固定する固定機構（本実施形態では第一の固定部１４０，第二の固定部１４５）とで構成されている。
【００６５】
収納ケース本体１０１は、折り畳み可能な柔軟な素材からなり、略箱形状に折り畳んでデジタルカメラ１２０を収納可能な電子機器収納部１０２で構成されている（図５乃至図８参照。）。
収納ケース本体１０１は、本実施形態では、ポリエチレンなどの柔軟な素材で形成されている。
また、本収納ケース本体１０１は折り畳み可能な柔軟な素材であれば、シリコンや布材であっても、あるいは合成樹脂材や皮革材などのやや硬めの素材であってもよく、本考案の範囲内で適宜仕様によって変更可能である。
【００６６】
電子機器収納部１０２は、デジタルカメラ１２０の前側に位置する前壁面１０４と、略箱形状に折り畳んだ状態から展開すると、固定状態に収納されているデジタルカメラ１２０の後方領域が開放されるとともに、デジタルカメラ１２０の周囲に立ち上がる、デジタルカメラ１２０の下側に位置する下壁面１０３と、デジタルカメラ１２０の上側に位置する上壁面１０５と、デジタルカメラ１２０の左側に位置する左壁面１０６と、デジタルカメラ１２０の右側に位置する右壁面１０７を有している。
これら電子機器収納部１０２の展開時に立ち上がった下壁面１０３，上壁面１０５、左壁面１０６および右壁面１０７が、デジタルカメラ１２０の液晶モニター２１を覆い、外部からの光を遮断する液晶モニター遮光用の遮光部１３０を構成する。また、遮光部１３０で囲まれた領域は、前記電子機器収納部１０２を構成する。
【００６７】
電子機器収納部１０２は、後述する固定機構（第一の固定部１４０，第二の固定部１４５）を介してデジタルカメラ１２０本体を固定状態に収納可能な領域を有して構成されている。
【００６８】
下壁面１０３は、固定機構（第一の固定部１４０）を構成する貫通孔１０９を介してデジタルカメラ１２０を着脱可能に固定し、かつデジタルカメラ１２０の下部を覆う面で、前壁面１０４と左壁面１０６と連続している（図５参照。）。
【００６９】
下壁面１０３は、下方からの光の入射量がさほど多くないことに鑑み、幅狭状に後方（図５中、矢印１３５で示す方向）に向けて突設され、貫通孔１０９が設けられている。これによって、デザイン上もすっきりするとともに、下壁面１０３が幅狭であるため、開放された電子機器収納部１０２に手を差し込み易く、画面タッチ機能を持った液晶画面でも支障なく操作することができる。
貫通孔１０９は、デジタルカメラ１２０を電子機器収納部１０２に固定するための孔である。通常、デジタルカメラ１２０の底面には三脚固定用の固定穴（図示省略）があり、固定穴の内面には雌ねじが設けられているため、貫通孔１０９は、この固定穴と連通して所定の固定部材（固定ネジ）１２３で連結固定する。
【００７０】
また、下壁面１０３の外面には、前記上壁面１０５側を手前内側に折り畳んだとき（言い換えると、前壁面１０４と上壁面１０５の境界で、上壁面１０５の内面を前壁面１０４の内面に対向するように折り畳んだとき）に、後述する上壁面１０５の内面に備えた面ファスナー１１２と対向する位置に面ファスナー１１３が設けられている（図５乃至図９。）。
【００７１】
前壁面１０４は、デジタルカメラ１２０の前部を覆う面で、前記下壁面１０３から連続し、下壁面１０３の横方向（図５中、矢印１３４で示す方向）長さをもって略矩形状に形成され、デジタルカメラ１２０のレンズ面１２４及びフラッシュ部１２５を外部に覗かせるレンズ窓部１０８を有する面である。また、前壁面１０４は、上壁面１０５、左壁面１０６とも連続している（図５乃至図８参照。）。
【００７２】
また、前壁面１０４の外面端部には、前記右壁面１０７を内側に折り畳んだとき（言い換えると、図８（ｂ）（ｃ）に示すように、上壁面１０５と右壁面１０７の境界で、右壁面１０７の内面を前壁面１０４の外面に対向するように折り畳んだとき）に、右壁面１０７の面ファスナー１１４と対向する位置に面ファスナー１１５が設けられている（図８（ｂ）参照。）。
【００７３】
レンズ窓部１０８は、デジタルカメラ１２０のレンズ面１２４を収納ケース本体１０１の外方に出すために切欠いてある孔である。本実施形態では、前壁面１０４を前方から直視したときに、向かって右側に矩形状に設けられている（図６（ｂ）参照。）。
なお、レンズ窓部１０８の位置や大きさ・形状などは本実施形態に何等限定解釈されるものではなく、デジタルカメラの製造メーカや機種によって、レンズ窓部１０８の位置や大きさ・形状などが異なるため、本考案の範囲内で適宜設計変更可能である。
【００７４】
上壁面１０５は、デジタルカメラ１２０の上部を覆う略矩形状の面であって、前記前壁面１０４から連続し、前壁面１０４の横方向長さと略同一長さで、かつデジタルカメラ１２０の全体長さを超えて後方（図６中、矢印１３５で示す方向）に向けて略矩形状に突設されている。
また、上壁面１０５は、右壁面１０７とも連続している（図５乃至図９参照。）。
【００７５】
また、上壁面１０５には、上壁面１０５と左壁面１０６との境界部分にファスナー機構を構成するエレメント１１１が備えられている（図５乃至図７参照。）。エレメント１１１に代えて、図示しない面ファスナーやボタン等の留め具でも良く、本考案の範囲内で適宜設計変更可能である。
【００７６】
さらに、上壁面１０５には、前記下壁面１０３の外面側を手前内側に折り畳んだとき（言い換えると、図７に示すように、前壁面１０４と下壁面１０３の境界で、下壁面１０３の内面を前壁面１０４の内面に対向するように折り畳んだとき）に、下壁面１０３の外面に備えた面ファスナー１１３と対向する位置に面ファスナー１１２が設けられている。
面ファスナー１１２と面ファスナー１１３に代えて、図示しないスライドファスナーやボタン等の留め具でも良く、本考案の範囲内で適宜設計変更可能である。
【００７７】
左壁面１０６は、デジタルカメラ１２０の左壁面を覆う略細長矩形状に形成され、前記上壁面１０５の後方（図６中、矢印１３５で示す方向）に向けた突設長さと同一の長さで形成されており、左方向からの光の入射を遮光する（図５乃至図６参照。）。また、下壁面１０３とも連続している。
左壁面１０６は、上壁１０５と左壁面１０６との境界部分にファスナー機構を構成するエレメント１１１が備えられている。
従って、左壁面１０６のエレメント１１１と上壁面１０５のエレメント１１１をスライダー１２６によって噛み合わせることで上壁面１０５と左壁面１０６が一体に連続される（図６参照。）。
これにより、左壁面１０６は上壁面１０５の崩れ落ちを防止するとともに、上壁面１０５、左壁面１０６、前壁面１０４、下壁面１０３とで略箱形状に遮光部１３０が一体に形成される（図６参照。）。
また、デジタルカメラを使用時に左手で保持するための人差し指が入る略矩形状の孔１１７が備えられており、使用しない場合には略矩形状の孔１１７を覆い隠す布材が備えられている。
【００７８】
右壁面１０７は、デジタルカメラ１２０の右壁面を覆う略細長矩形状に形成され、前記上壁面１０５の後方（図６中、矢印１３５で示す方向）に向けた突設長さと同一の長さで、かつ前壁面１０４と同様の大きさ（図５中、矢印１３４で示す方向）で形成されており、右方向からの光の入射を遮光する。
【００７９】
右壁面１０７は、上壁面１０５と連続しているが、下壁面１０３、前壁面１０４とは連続していない（図５及び図６参照。）。
これは、使用者がデジタルカメラ１２０の右壁面を手で握持しようとしたときに、右壁面１０７が下壁面１０３及び前壁面１０４と連続して形成されていると、デジタルカメラの右方から手を挿入し難いためである。そのため、右壁面１０７は上壁面１０５とのみ連続して形成しており、右壁面１０７は上下方向に自由に移動が可能である。
【００８０】
また、右壁面１０７の端部には、前記前壁面１０４の外面側を手前内側に折り畳んだとき（言い換えると、図８（ｂ）（ｃ）に示すように、上壁面１０５と右壁面１０７の境界で、右壁面１０７の内面を前壁面１０４の外面に対向するように折り畳んだとき）に、前壁面１０４の面ファスナー１１５と対向する位置に面ファスナー１１４が設けられている（図５乃至図９）。
【００８１】
上記の面ファスナー１１４，１１５に代えて、図示しないスライドファスナーやボタン等の留め具でも良く、本考案の範囲内で適宜設計変更可能である。
【００８２】
固定機構は、第一の固定部１４０と第二の固定部１４５から構成されていて、電子機器収納部１０２に収納されるデジタルカメラ１２０を着脱可能に固定する。
【００８３】
第一の固定部１４０は、下壁面１０３に設けられた貫通孔１０９と、貫通孔１０９を介してデジタルビデオカメラ１２０の三脚固定用のネジ孔に下壁面１０３の外方から着脱可能に螺合する固定部材（固定ネジ）１２３とからなる。貫通孔１０９の位置はデジタルカメラの機種によって異なる場合があるが、孔の大きさは三脚固定用のネジ孔であることから寸法はどの機種も略同じである。本実施形態では可搬用であることから市販されている固定ネジ１２３を使っているが、当然に三脚に備えられている連結ネジを使うこともできる。また、通常、カメラ収納ケース用の固定ネジには、その下壁面に雌穴のネジ孔があることから、三脚を使う場合に固定ネジを螺合したままで、固定ネジを交換することなく使用することができる。
【００８４】
第二の固定部１４５は、前壁面１０４の左右いずれかに一体に備えられ、デジタルカメラ１２０に備えられるストラップ１２２を着脱可能に固定するものであって、本実施形態では、電子機器収納部１０２を構成する前壁面１０４の内面所定位置に備えられた面ファスナーである（図５乃至図７参照。）。
【００８５】
第二の固定部（面ファスナー）１４５がデジタルカメラ１２０のストラップ１２２を締結固定することで、デジタルカメラ１２０を安定して収納でき、また、使用者の手の甲と右壁面１０７が密着することによって右側からの遮光部としても万全なものとしている。
なお、本実施形態では、面ファスナー１１０をもって説明するが、ボタン等の留め具でも良い。
【００８６】
本実施形態においては、前記固定穴を利用し、下壁面１０３の外方から貫通孔１０９を介して固定ネジ１２３を用いることによって、第一の固定部１４０でデジタルカメラ１２０を下壁面１０３に安定して固定することができる。このように第一の固定部１４０を介して安定して収納できるため、電子機器収納部１０２からデジタルカメラ１２０が脱落するおそれがない。また、三脚を用いてデジタルカメラ１２０を使用する場合でも、収納ケース本体１０１にデジタルカメラ１２０を収納したままで撮影ができる。
【００８７】
なお、収納ケース本体１０１が、やや硬めの素材で形成されている場合であれば、その素材自体の硬さで電子機器収納部１０２をある程度保持することができるため、固定機構は第一の固定部１４０の構成だけでも可能である。この場合において、第一の固定部１４０と共に第二の固定部１４５を備えることを何ら妨げるものでない。
（デジタルカメラ用可搬型収納ケースの展開の仕方）
【００８８】
折り畳み状態の収納ケース本体１０１にデジタルカメラ１２０が収納された状態（図８（ｃ）状態、なお、デジタルカメラ１２０は図示省略）から、収納ケース本体１０１を展開して、撮影可能状態（図６状態）にするまでの作動を説明する。
【００８９】
まず、面ファスナー１１４，１１５同士の係合状態を解除し、右壁面１０７と前壁面１０４との連結を外して展開する（図８（ｂ）状態）。
【００９０】
次に、面ファスナー１１２，１１３同士の係合状態を解除し、下壁面１０３と上壁面１０５との連結を外して展開する（図７状態）と共に、折り畳まれていた左壁面１０６を外側に展開する。
【００９１】
このようにデジタルカメラ１２０が取り付けられ、そして、左壁面１０６と上壁面１０５とのエレメント１１１，１１１同士をスライダー１２６によって噛み合わせて連結すると、左壁面１０６がデジタルカメラ１２０の左側に立ち上がるとともに、前壁面１０４との境界位置を境にして上壁面１０５が後方（図６中、矢印１３５で示す方向）に向けて折れ曲がり状態で備えられる。そして、上壁面１０５との境界を境にして右壁面１０７が折れ曲がると、上壁面１０５，下壁面１０３，左壁面１０６，右壁面１０７によって遮光部１３０が形成される。
また、下壁面１０３，上壁面１０５，左壁面１０６とによって区切られた電子機器収納部１０２が形成される（図６）。
【００９２】
このような次第であるため、デジタルカメラ１２０の右壁面１０７の下方から手を差し込んで握持するだけで、遮光部１３０が電子機器収納部１０２の領域内への光の入射を極力遮ることが可能であるため、太陽光線等の光の影響（液晶画面が見え難くなるという影響）を心配することなく、液晶モニター画像をしっかり見ることができる。
また、組立に要する時間は、折り畳み面数が少なく、面ファスナーを用いていることから難しい操作も無く、数秒足らずの短時間ででき、慣れればさらに短くなり、撮影チャンスを逃すこともない。
【００９３】
（デジタルカメラ用可搬型収納ケースの収納順序）
次に、デジタルカメラ１２０の使用後の収納手順を説明する。
まず、左壁面１０６と上壁面１０５とのエレメント１１１，１１１同士の噛み合いを解除する。そうすると電子機器収納部１０２を構成する上壁面１０５の保持が無くなる。
次に、図７に示すように、左壁面１０６を電子機器収納部１０２の内側に折り畳み（言い換えると、左壁面１０６の内面を前壁面１０４の内面と対向するように折り畳む）。
さらに、図７と図８（ａ）に示すように、上壁面１０５の内面を前壁面１０４の内面と対向するように、上壁面１０５と前壁面１０４の境界を境にして折り畳み、上壁面１０５の面ファスナー１１２と、下壁面１０３の面ファスナー１１３を係合させる。そして、図８（ｂ）（ｃ）に示すように、右壁面１０７を前壁面１０４の外面に被せるように内側に折り畳み、右壁面１０７の面ファスナー１１４と前壁面１０４の面ファスナー１１５を係合させる。
【００９４】
これにより、コンパクトでデザイン性が良い可搬型の収納ケースにすることができる。以上により、デジタルカメラ１２０を外部に露出することがないので、太陽光の熱射等外部要因から保護することができ、変色、変形、故障を防ぐことができる。
また、本実施形態では、手提げで持ち運びが簡単にできるように収納ケース本体１０１にストラップ部（リング）１１６を備え、腰又は手持ち鞄に引っ掛けたりできるようにしている。
【符号の説明】
【００９５】
１，１０１  収納ケース本体
２，１０２  電子機器収納部
３，１０３  下壁面
４，１０４  前壁面
５，１０５  上壁面
６，１０６  左壁面
７, １０７  右壁面
８  液晶モニター収納部
９，１０８  レンズ窓部
１０，１０９  貫通孔
１２  上蓋部
１３，１５  第二のファスナー機構
１４  下蓋部
２０  デジタルビデオカメラ
２１，１２１  液晶モニター
２２  グリップ
２３，１２３  固定ネジ
２４，１２４  レンズ
３０，１３０  遮光部
４０，１４０  第一の固定部
４５，１４５  第二の固定部
５０  第一のファスナー機構
１２０  デジタルカメラ
１２２  ストラップ
【図１】
0003188329.tif 000003
【図２】
0003188329.tif 000004
【図３】
0003188329.tif 000005
【図４】
0003188329.tif 000006
【図５】
0003188329.tif 000007
【図６】
0003188329.tif 000008
【図７】
0003188329.tif 000009
【図８】
0003188329.tif 000010